(57)【要約】      （修正有）【課題】従来のシャワーブラシはおおむね洗髪時用で、一般入浴時や洗髪時の取替えが必要であった。【解決手段】従来のシャワーでは水流が直接、頭皮地肌に届かず、頭皮のかゆみやシャンプーや洗剤の残液などが取れにくかったが、噴出口とブラシの一体化で、特に長い髪の毛のすすぎ時間の短縮など、効率よく、これらの問題を解決することが出来た。又従来からの現在流通使用中の殆どのシャワーヘツドに、ビス一本で取替えが簡単に出来た。【選択図】図５
0003101367.tif 000002
【実用新案登録請求の範囲】
【請求項１】
通常シャワーでのシャワーブラシ
【請求項２】
通常シャワーでのシャワーヘッドブラシ
【考案の詳細な説明】
【０００１】一般家庭において、入浴時での頭皮のかゆみをやわらげて、洗髪時でのシャンプーのすすぎ作業の効率を上げ、洗髪時以外でも、常時通常のシャワーであり、シャワーブラシである。
【考案の属する技術分野】
【０００２】【請求項１】の本考案は、シャワーブラシに属する。
【０００３】【請求項２】の本考案は、シャワーブラシに属する。
【従来の技術】
【０００４】従来のシャワーブラシは、おおむね洗髪時用の技術であって、日常入浴時のシャワーヘッドには、なりにくい。
【考案が解決しようとする課題】
【０００５】しかし従来のシャワーブラシではおおむね、洗髪時のみの為に用いる物で、日常入浴時には従来のシャワーヘッドを取り換えたり、シャワーヘッドに取り付けたりしなければ成らなかった。
【課題を解決するための手段】
【０００６】【請求項１】の本考案は、現在使用中のシャワー本体の、ヘッド部の噴出口に有る１本のビスを取り替え【請求項１】を取り付ければ、通常のシャワーとシャワーブラシに常時、使用する事が出来る。
【０００７】【請求項２】の本考案は、シャワーヘッド本体に、直接ブラシを取り付け、シャワーヘッドブラシとした。
【０００８】ブラシは頭皮を傷つけず適度の硬さを有する物にて製作するのが好ましい。
【実施例】
【０００９】【請求項１】【請求項２】の実施例については図面を参照して説明する。
【００１０】【請求項１】では従来のシャワーヘッドの噴出口に有るビスを取り除き、新たなビスで取り付ける。
【００１１】【請求項２】は、流水ホース口に有るシャワーヘッド本体を取り替える。
【考案の効果】
【００１２】【請求項１】の本シャワーブラシでは、現在一般家庭で流通使用されている、シャワーヘッドのほとんどに取り付けが出来る。通常シャワーでの洗髪時では頭皮のかゆみや、毛穴の汚れ、シャンプーなどの洗剤の残液など、水流が直接、頭皮地肌に届かなかったが、【請求項１】【請求項２】は共に、これらが解消されて、マッサージ効果もある。
【図面の簡単な説明】
【図１】【請求項１】のシャワーブラシ本体の平面表面を示す。
【図２】【請求項１】のシャワーブラシ本体の平面裏面を示す。
【図３】【請求項１】のシャワーブラシ本体の断面を示す。
Ａ１    本体ベース。内径３８ｍｍ外径７５ｍｍ厚さ３ｍｍ〜５ｍｍの柔軟性の有る物とする。
Ａ２    櫛歯部。長さ１２ｍｍ〜２２ｍｍ太さ２ｍｍ〜４ｍｍ、柔軟性の有る物とする。
Ａ３    噴出口枠。内径３８ｍｍ外径４０ｍｍ高さ１ｍｍ〜２ｍｍ、ＡＡ４と一体化とする。
Ａ４    噴出口面。凸状面で内径３８ｍｍ外径４０ｍｍ厚さ１ｍｍ〜２ｍｍ。
Ａ５    噴出孔。１ｍｍφ孔。
Ａ６    ビス挿入口。内径６ｍｍ外径８ｍｍ皿取面。
Ａ７    止水部、衝撃吸収部。内径３８ｍｍ外径６０ｍｍ厚さ５ｍｍ，止水が出来て柔軟性の有る物とする。
Ａ８    ヘッド内部流水部への誘導口。内径３６ｍｍ外径３８ｍｍ長さ１４ｍｍ。
Ａ９    ヘッド中央部ビス挿入口部への誘導口。内径１３．５ｍｍ外径１５ｍｍ長さ１８ｍｍ。
Ａ１０  ビス誘導口。内径６ｍｍ外径１３．５ｍｍ長さ５ｍｍ、Ａ９と一体化とし，噴出口面裏との隙間を１ｍｍ〜２ｍｍ必ず取る。
【図４】【請求項２】のシャワーヘッドブラシ本体の断面を示す。
【図５】【請求項２】のシャワーヘッドブラシ本体の平面表面を示す。
【図６】【請求項２】のシャワーヘッドブラシ本体の平面裏面を示す。
Ｂ１    Ａ１と同じ。
Ｂ２    Ａ２と同じ。
Ｂ３    Ａ３と同じ。
Ｂ４    Ａ４と同じ。
Ｂ５    Ａ５と同じ。
Ｂ６    Ａ７と同じ。
Ｂ７    シャワーヘッド。
【図７】従来のシャワーヘッドの平面表面を示す。
Ｃ１    シャワーヘッド。
Ｃ２    流水部噴出口を取り除いた部、外径３８ｍｍ〜５０ｍｍが殆どである。おおむね３８ｍｍが支流。
Ｃ３    ビス取り付け挿入口、ビスは外径４ｍｍ〜５ｍｍ。おおむね５ｍｍが支流。
【符号の説明】
Ａ１    本体ベース。
Ａ２    櫛歯部。
Ａ３    噴出口枠。
Ａ４    噴出口面。
Ａ５    噴出孔。
Ａ６    ビス挿入口。
Ａ７    止水部、衝撃吸収部。
Ａ８    流水部誘導口。
Ａ９    ビス挿入部誘導口。
Ａ１０    ビス誘導口。
Ｂ１    本体ベース。
Ｂ２    櫛歯部。
Ｂ３    噴出口枠。
Ｂ４    噴出口面。
Ｂ５    噴出孔。
Ｂ６    止水部、衝撃吸収部。
Ｂ７    シャワーヘッド。
Ｃ１    シャワーヘッド。
Ｃ２    流水部。
Ｃ３    ビス取り付け部。
【図１】
0003101367.tif 000003
【図２】
0003101367.tif 000004
【図３】
0003101367.tif 000005
【図４】
0003101367.tif 000006
【図５】
0003101367.tif 000007
【図６】
0003101367.tif 000008
【図７】
0003101367.tif 000009
【手続補正書】
【提出日】平成15年9月18日(2003.9.18)
【手続補正１】
【補正対象書類名】明細書
【補正対象項目名】全文
【補正方法】変更
【補正の内容】
【実用新案登録請求の範囲】
【請求項１】洗髪用の櫛歯部が設けられて．シャワーヘッドからの水を噴出する、噴出孔が設けられている、シャワーブラシ。
【考案の詳細な説明】
【０００１】
一般家庭において、入浴時での頭皮のかゆみをやわらげて、洗髪時でのシャンプーのすすぎ作業の効率を上げ、洗髪時以外でも、常時シャワーであり、シャワーブラシである。
【技術分野】
【０００２】
「請求項１」の本考案は、シャワーブラシに属する。
【背景技術】
【０００３】
従来のシャワーブラシは、おおむね洗髪時用の物であって、日常入浴時のシャワーヘッドには、なりにくい。
【考案が解決しようとする課題】
【０００４】
しかし従来のシャワーブラシではおおむね、洗髪時のみの為に用いる物で、日常入浴時には従来のシャワーヘッドを取り換えたり、シャワーヘッドに取り付けたりしなければ成らなかった。
【課題を解決するための手段】
【０００５】
「請求項１」の本考案は、現在使用中のシャワー本体の、ヘッド部の流水部、噴出口を取り除き、１本のビスを取り替え「請求項１」を取り付ければ、シャワーとシャワーブラシに常時、使用する事が出来る。
【０００６】
ブラシは頭皮を傷つけず適度の硬さを有する物にて製作するのが好ましい
【実施例】
【０００７】
「請求項１」の実施例については図面を参照して説明する。
【０００８】
「請求項１」は従来のシャワーヘッドの噴出口に有るビスを取り、噴出口を取り除き、新たなビスで取り付ける。
【考案の効果】
【０００９】
「請求項１」のシャワーブラシでは、現在一般家庭で流通使用されている、シャワーヘッドのほとんどに取り付けが出来る。シャワーでの洗髪時では頭皮のかゆみや、毛穴の汚れ、シャンプーなどの洗剤の残液など、水流が直接、頭皮地肌に届かなかったが、「請求項１」のシャワーブラシでは、これらが解消されて、マッサージ効果もある。
【図面の簡単な説明】
【図１】「請求項１」のシャワーブラシ本体の平面表面を示す。
【図２】「請求項１」のシャワーブラシ本体の平面裏面を示す。
【図３】「請求項１」のシャワーブラシ本体の断面を示す
【図４】従来シャワーヘッド。流水部、噴出口を取り除いた平面表面を示す。
【図５】「請求項１」を「図４」に取り付けた平面表面を示す。
【図６】「請求項１」を「図４」に取り付けた平面裏面を示す。Ａ１  本体ベース。
内径３８ｍｍ外径７５ｍｍ厚さ３ｍｍ〜５ｍｍの柔軟性の有る物とする。Ａ２  櫛歯    部。長さ１２ｍｍ〜２２ｍｍ太さ２ｍｍ〜４ｍｍ、柔軟性の有る物とする。Ａ３  噴    出口枠。内径３８ｍｍ外径４０ｍｍ高さ１ｍｍ〜２ｍｍ、Ａ４と一体化とする。Ａ４      噴出口面。凸状面で内径３８ｍｍ外径４０ｍｍ厚さ１ｍｍ〜２ｍｍ。Ａ５  噴出孔    。１ｍｍφ孔。Ａ６  ビス挿入口。内径６ｍｍ外径８ｍｍ皿取面。Ａ７  止水部、衝    撃吸収部。内径３８ｍｍ外径６０ｍｍ厚さ５ｍｍ，止水が出来て柔軟性の有る物とす    る。Ａ８  ヘッド内部流水部への誘導口。内径３６ｍｍ外径３８ｍｍ長さ１４ｍｍ。
Ａ９  ヘッド中央部ビス挿入口部への誘導口。内径１３．５ｍｍ外径１５ｍｍ長さ１    ８ｍｍ。Ａ１０  ビス誘導口。内径６ｍｍ外径１３．５ｍｍ長さ５ｍｍ、Ａ９と一体    化とし，噴出口面裏との隙間を１ｍｍ〜２ｍｍ必ず取る。Ｂ１  シャワーヘッド本体    。Ｂ２  流水部噴出口を取り除いた部、外径３８ｍｍ〜５０ｍｍが殆どである。おお    むね３８ｍｍが支流。Ｂ３  ビス取り付け挿入口、ビスは外径４ｍｍ〜５ｍｍ。おお    むね５ｍｍが支流。
【符号の説明】
Ａ１    本体ベース。
Ａ２    櫛歯部。
Ａ３    噴出口枠。
Ａ４    噴出口面。
Ａ５    噴出孔。
Ａ６    ビス挿入口。
Ａ７    止水部、衝撃吸収部。
Ａ８    流水部誘導口。
Ａ９    ビス挿入部誘導口。
Ａ１０    ビス誘導口。
Ｂ１    シャワーヘッド本体。
Ｂ２    流水部。
Ｂ３    ビス取り付け部。


【手続補正２】
【補正対象書類名】図面
【補正対象項目名】全図
【補正方法】変更
【補正の内容】
【図１】
0003101367.tif 000010
【図２】
0003101367.tif 000011
【図３】
0003101367.tif 000012
【図４】
0003101367.tif 000013
【図５】
0003101367.tif 000014
【図６】
0003101367.tif 000015